(57)【要約】【課題】バンドを確実に緊締することができるとともに、ヘラなどの専用工具を必要とせずに、容易にバンドの緊締を解除することのできるバンド止め具の提供を目的とする。【解決手段】バンドの挿通を許容する挿通孔１２を有する枠体１３と、上記枠体１３の一方の側から他方の側へ上記挿通孔１２を挿通したバンドを長さ方向Ｄに折り返した折返し部分ｂ２上記折返し部分ｂ２の係着を許容するとともに、上記枠体１３の上記他方の側で上記枠体に掛止可能な掛止バー１４とを備え、上記折返し部分ｂ２より先端側の先端側バンド部ｂ１を、上記折返し部分ｂ２より基部側の基部側バンド部ｂ３と上記枠体１３とで挟み込んで上記枠体１３の他方の側への抜け出しを防止するバンド止め具１１であって、上記先端側バンド部ｂ１の抜け出し方向Ｄ１に、上記掛止バー１４を上記バンドの折返し部分ｂ２とともに移動させる移動手段を備えたバンド止め具１１。【選択図】図１
2009149352.tif 000002
【特許請求の範囲】
【請求項１】
バンドの挿通を許容する挿通孔を有する枠体と、
上記枠体の一方の側から他方の側へ上記挿通孔を挿通した上記バンドを長さ方向に折り返した折返し部分の係着を許容するとともに、上記他方の側で上記枠体に掛止可能な掛止バーとを備え、
上記折返し部分より基部側の基部側バンド部と上記枠体とで挟み込んで、上記他方の側への上記折返し部分より先端側の先端側バンド部の抜け出しを防止するバンド止め具であって、
上記先端側バンド部の抜け出し方向に上記バンドの折返し部分とともに上記掛止バーを移動させる移動手段を備えた
バンド止め具。
【請求項２】
上記掛止バーに、
上記枠体の上記他方の側に支持され、先端部分に上記掛止バーの回転移動の支点となる回転支点部を有する支点突出片を備えた
請求項１に記載のバンド止め具。
【請求項３】
上記移動手段を、
上記枠体と上記掛止バーとの各対向部分における少なくとも一方の側を切り欠いた切欠部により形成した
請求項２に記載のバンド止め具。
【請求項４】
上記移動手段を、
上記掛止バーに備えるとともに、上記長さ方向において上記枠体の端部よりも外側へ突出し、上記掛止バーの回転移動の力点となる回転力点部を先端側に有する力点突出片により構成した
請求項２又は３に記載のバンド止め具。
【請求項５】
上記力点突出片に、
上記枠体の側方側へ上記枠体と同程度の厚みに突出した脚部を備えた
請求項４に記載のバンド止め具。
【請求項６】
上記掛止バーと上記枠体とを連結する連結部を備え、
上記連結部を、上記掛止バーの回転中心に対して外側の外側連結部と、上記掛止バーの回転中心の内側の内側連結部とで形成し、
上記外側連結部、及び、上記内側連結部の少なくとも一方に、連結部形成方向への伸張を許容する伸長許容部を備えた
請求項２から請求項５のうちいずれか１項に記載のバンド止め具。
【請求項７】
上記枠体の上記回転支点部を支持する支持部分に、
上記掛止バーとの係合を許容する係合許容部を形成した
請求項２から請求項６のうちいずれか１項に記載のバンド止め具。
【請求項８】
上記長さ方向において、上記枠体の外側部分を、上記枠体の中間側部分よりも高く形成し、
上記支点突出片と上記力点突出片とを、同じ突出片で形成し、
上記回転力点部を、上記回転支点部より上記突出片の先端側に構成した
請求項４から請求項７のうちいずれか１項に記載のバンド止め具。
【請求項９】
上記長さ方向において、上記枠体の外側部分を、上記枠体の中間側部分よりも低く形成した
請求項２から請求項７のうちいずれか１項に記載のバンド止め具。
【請求項１０】
２本の上記掛止バーのそれぞれを、上記枠体の上記長さ方向における中間部に対して各側に対称な向きで配置し、
２本の上記掛止バーの上記各回転支点部を、
上記長さ方向において上記枠体の中間位置よりも、他方の上記掛止バー側に形成した
請求項２から請求項７のうちいずれか１項に記載のバンド止め具。
【発明の詳細な説明】
【技術分野】
【０００１】
この発明は、荷物を結着するバンド（ＰＰバンド、ポリエステルバンド、結束バンド）を緊締固定することができるとともに、バンドの緊締を解除することのできるバンド止め具に関する。
【背景技術】
【０００２】
従来より、バンド止め具に関する発明は、様々なものが提案されており、強固に、且つ、スムーズにバンドを緊締できることを主たる課題としてなされたものが多い。例えば、下記特許文献１において開示された「結束バンドの止め具」もその１つである。
【０００３】
上記「結束バンドの止め具」は、四角形の枠部（１０）と、該枠部（１０）の一方の側面にヒンジ部（１１）を介して接続された２本のバー（１２）とを備えている。
【０００４】
さらに、上記「結束バンドの止め具」は、バンドの緩みを防止するための構成として、例えば、上記バー（１２）に突起（１５）を備えるとともに、枠部（１０）に凹部（１６）を備えている。突起（１５）と凹部（１６）とは、上記バー（１２）を枠部（１０）側へ折り返したとき、互いに係合することにより、強固な緊締を実現している。
【０００５】
しかし、上述したようなバンド止め具は、強固にバンドを緊締している分、緊締を解除することが困難となり、労力を要していた。
【０００６】
このため、解梱する際には、ハサミやカッターなどを用いてバンドを切断することが多く、その場合、バンドを切断することにより、必然的に長さが短くなるため、切断されたバンドは、再利用できないことも多かった。
【０００７】
また、止め具による緊締を解除することにより解梱することも考えられるが、この場合、素手で行なうことは困難であるため、ヘラなどの強度を有し、先の尖った専用工具を要していた。
【０００８】
このような専用工具を用いた場合でも、止め具における枠部（１０）とバー（１２）との間には、隙間が存在しないため、該専用工具を差し込むとは困難であり、専用工具を強引に差し込むと、バンド止め具が破損して再利用できないことや、ケガをするおそれがあった。
【０００９】
【特許文献１】特開平０８−２６３２７号公報
【発明の開示】
【発明が解決しようとする課題】
【００１０】
そこでこの発明は、バンドを確実に緊締することができるとともに、ヘラなどの専用工具を必要とせずに、容易にバンドの緊締を解除することができるバンド止め具の提供を目的とする。
【課題を解決するための手段】
【００１１】
本発明のバンド止め具は、バンドの挿通を許容する挿通孔を有する枠体と、上記枠体の一方の側から他方の側へ上記挿通孔を挿通した上記バンドを長さ方向に折り返した折返し部分の係着を許容するとともに、上記他方の側で上記枠体に掛止可能な掛止バーとを備え、上記折返し部分より基部側の基部側バンド部と上記枠体とで挟み込んで、上記他方の側への上記折返し部分より先端側の先端側バンド部の抜け出しを防止するバンド止め具であって、上記先端側バンド部の抜け出し方向に上記バンドの折返し部分とともに上記掛止バーを移動させる移動手段を備えたことを特徴とする。
【００１２】
上記構成により、バンドを確実に緊締することができるとともに、ヘラなどの専用工具を必要とせずに、容易に緊締を解除することができる。
【００１３】
上記移動手段による上記掛止バー移動は、例えば、枠体に対する平行移動、回転移動のいずれをも含むものとする。
【００１４】
この発明の態様として、上記掛止バーに、上記枠体の上記他方の側に支持され、先端部分に上記掛止バーの回転移動の支点となる回転支点部を有する支点突出片を備えることができる。
【００１５】
上記構成により、上記バンド止め具は、掛止バーをテコの原理により回転支点部を回転支点として回転移動させることができるため、バンドを容易に緩めることができる。
【００１６】
このように、バンドを容易に緩めた後、さらに移動した掛止バーを元に戻すことにより、バンドと掛止バーとの間に空間が生じ、バンドの緊締を解除することができる。  
なお、以下の説明においても、バンドを緩めた後、バンドの緊締を解除するまでの一連の動作についての説明を省略した場合は、同様の一連の動作によって、バンドの緊締を解除することができるものとする。
【００１７】
またこの発明の態様として、上記移動手段を、上記枠体と上記掛止バーとの各対向部分における少なくとも一方の側を切り欠いた切欠部により形成することができる。
【００１８】
これにより例えば、硬貨を上記切欠部に差し込み、該差込み部分を支点として硬貨を、こじながら起こすことにより、容易にバンドの緊締を解除することができる。
【００１９】
このように上記切欠部を備えることにより、ヘラなどのバンドの緊締を解除するための専用の道具を要さず、身近にある硬貨等を利用して上述したように容易にバンドの緊締を解除することができる。
【００２０】
勿論、上記切欠部に差し込む部材は、硬貨（コイン）に限らず、上記切欠部に差し込み可能な他の部材を用いてもよい。
【００２１】
またこの発明の態様として、上記移動手段を、上記掛止バーに備え、上記長さ方向において上記枠体の端部よりも外側へ突出し、上記掛止バーの回転移動の力点となる回転力点部を先端側に有する力点突出片により構成することができる。
【００２２】
上記構成により、上記掛止バーを、上記回転力点部を回転移動の力点とし、回転支点部を回転支点として回転移動させることができるため、テコの原理を利用して、片手でも容易にバンドを緩めることが可能となる。  
さらに、上記力点突出片が上記枠体の端部よりも外側へ突出しているため、指が引っ掛かり易く、容易にバンドを緩めることができる。
【００２３】
またこの発明の態様として、上記力点突出片に、上記枠体の側方側へ上記枠体と同程度の厚みに突出した脚部を備えることができる。
【００２４】
上記構成により、例えば、バンドを緊締した状態のバンド止め具に荷物を積み重ねても、その荷重を受けることにより、不測に上記掛止バーが移動し、バンドの緊締が解除されることを阻止することができる。
【００２５】
またこの発明の態様として、上記掛止バーと上記枠体とを連結する連結部を備え、上記連結部を、上記掛止バーの回転中心に対して外側の外側連結部と、上記掛止バーの回転中心の内側の内側連結部とで形成し、上記外側連結部、及び、上記内側連結部の少なくとも一方に、連結部形成方向（外側連結部の長さ方向）への伸張を許容する伸長許容部を備えることができる。
【００２６】
上記構成により、例えば、上記外側連結部、及び、上記内側連結部の少なくとも一方における、伸長許容部が上記掛止バーの回転移動に応じて伸張するため、上記掛止バーの回転移動の妨げになることがなく上記掛止バーと上記枠体とを連結することができる。
【００２７】
またこの発明の態様として、上記枠体の上記回転支点部を支持する支持部分に、上記掛止バーとの係合を許容する係合許容部を形成することができる。
【００２８】
上記構成により、上記掛止バーは、枠体に対して回転移動する際に枠体の係合許容部に係合する。このため、上記掛止バーは、枠体に対して不測に捩れたり傾いたりすることなく、確実に移動してバンドを緩めることができる。
【００２９】
上記係合許容部は、例えば、凹部、突部、或いは、これらを組み合わせた形態など、上記掛止バーとの係合を許容可能な形態であれば、その形態は限定しない。
【００３０】
またこの発明の態様として、上記長さ方向において、上記枠体の外側部分を、上記枠体の中間側部分よりも高く形成し、上記支点突出片と上記力点突出片とを、同じ突出片で形成し、上記回転力点部を、上記回転支点部より上記突出片の先端側に構成することができる。
【００３１】
上記構成により、回転力点部が上記枠体の隅角部によって支持される回転支点部よりも高い位置に位置することになる。よって、上記掛止バーは、上記掛止バーの回転力点部を押し下げると、回転支点部と回転力点部とが略同じ高さの場合と比較して、より回転支点部を回転支点として大きな回転角度で回転移動するため、一度の上記掛止バーの回転移動によって、より効果的にバンドを緩めることができる。
【００３２】
またこの発明の態様として、上記長さ方向において、上記枠体の外側部分を、上記枠体の中間側部分よりも低く形成することができる。
【００３３】
上記構成により、回転力点部が回転支点部よりも低い位置に位置することになる。よって、上記掛止バーは、上記掛止バーの回転力点部を押し上げると、回転支点部と回転力点部とが略同じ高さの場合と比較して、より回転支点部を回転支点として大きな回転角度で回転移動するため、一度の上記掛止バーの回転移動によって、より効果的にバンドを緩めることができる。
【００３４】
さらに、上記構成により、回転支点部が回転力点部よりも高い位置に位置することになるため、回転支点部を回転支点として上記掛止バーを回転移動するには、回転支点部と回転力点部とが略同じ高さの場合と比較して、より大きな力を回転力点部に付与する必要がある。
【００３５】
よって、例えば、バンド止め具に衝撃などが加わるなどしても、バンドが不測に緩むことを確実に防止することができる。
【００３６】
またこの発明の態様として、２本の上記掛止バーのそれぞれを、上記枠体の上記長さ方向における中間部に対して各側に対称な向きで配置し、２本の上記掛止バーの上記各回転支点部を、上記長さ方向において上記枠体の中間位置よりも、他方の上記掛止バー側に形成することができる。
【００３７】
上記構成により、上記バンド止め具は、上記枠体に対する上記掛止バーの回転半径を長く形成することができる。よって、回転支点部を回転支点として掛止バーを回転移動させたとき、掛止バー本体部を枠体に対してより長い距離で離間することができるため、バンドを効果的に緩めることができ、バンドの緊締を容易に解除することができる。
【発明の効果】
【００３８】
本発明により、バンドを確実に緊締することができるとともに、ヘラなどの専用工具を必要とせずに、容易にバンドの緊締を解除することのできる。
【発明を実施するための最良の形態】
【００３９】
この発明の一実施形態を以下図面と共に説明する。  
（第一実施形態）  
第一実施形態におけるバンド止め具１１について、図１、図２、及び、図３とともに説明する。  
なお、図１は、バンド止め具１１の外観図である。図２は、第一実施形態におけるバンド止め具１１を展開したときのそれぞれ平面図（ａ）、左側面図（ｂ）、背面図（ｃ）を示している。図３は、バンドｂを緊締した状態におけるバンド止め具１１の平面図である。
【００４０】
上記バンド止め具１１は、枠体１３、２本の掛止バー１４、及び、枠体１３と掛止バー１４とを連結する連結部１６で構成している。
【００４１】
枠体１３、２本の掛止バー１４、及び、連結部１６は、合成樹脂により一体成形されている。
【００４２】
上記枠体１３は、バンドｂの挿通を許容する挿通孔１２を平面視中央に有し、上記枠体１３の上面側（図１中、枠体１３の上面側）で２本の掛止バー１４を掛止可能に平面視正方形の枠体で形成している。
【００４３】
詳しくは、上記枠体１３は、その外周側に備え、バンドｂの長さ方向Ｄと略平行に配した長さ方向辺部１３ａと、バンドの幅方向Ｗと略平行に配した幅方向辺部１３ｂとで構成している。
【００４４】
なお、本実施形態において上記枠体１３は、平面視すると１６ｍｍ×１６ｍｍ程度で形成するとともに、略４ｍｍ程度の厚みで形成している。
【００４５】
上記掛止バー１４は、掛止バー本体部１５と、該掛止バー本体部１５の両端部に備え、該掛止バー１４の長さ方向両側に突出したフランジ部１５ａとで平面視Ｉの字形のバー形状で形成している。上記掛止バー１４は、上記枠体１３の下面側（図１中、枠体１３の下面側）から上面側へ上記挿通孔１２を挿通した上記バンドｂを折り返した折返し部分ｂ２の係着を許容する１６ｍｍ程度の長さで形成している。
【００４６】
上記長さ方向Ｄの両側に突出した上記フランジ部１５ａは、掛止バー本体部１５から枠体１３の上記長さ方向Ｄの中間側に突出し、上記枠体１３の上面側に支持される支点突出片２２を備えている。支点突出片２２の先端部には、上記長さ方向辺部１３ａに有する支持部分２４によって支持され、上記掛止バー１４を枠体１３に対して回転移動する際の支点となる回転支点部２３を形成している。
【００４７】
また、支点突出片２２の突出方向とは反対側部分、すなわち、長さ方向辺部１３ａの外側部分のフランジ部１５ａと、枠体１３におけるフランジ部１５ａの上記外側部分との対応部分には、枠体１３に対して上記掛止バー１４を移動するための移動手段としての切欠部２５を形成している。
【００４８】
具体的には、切欠部２５は、枠体１３と掛止バー１４とを対向させ、バンド止め具１１を平面視したとき、その４隅部、並びに、連結部１６を有しない側の長さ方向辺部１３ａ（図３中上側の長さ方向辺部１３ａ）の中間部の合計５つの箇所において枠体１３と掛止バー１４との対向面の一部を切り欠いた切欠凹部で形成している（図３参照）。
【００４９】
さらに、上記切欠部２５は、いずれも例えば、硬貨Ｃの周縁部を適宜、差込可能な間隙を構成し、切欠部２５は、手前側から奥側へ進むに連れ、徐々に上下幅が狭くなるよう、切欠部２５の内部の上下各側を、例えば、テーパ形状に形成している。
【００５０】
また、上記連結部１６は、枠体１３に対して掛止バー１４を屈曲自在に枠体１３、及び、掛止バー１４の各部を構成する構成部分と比較して薄肉、且つ、幅小に形成している。バンド止め具１１は、上記連結部１６を屈曲させることにより、２本の掛止バー１４のそれぞれを、枠体１３の側方を構成する長さ方向辺部１３ａの中間部に対して各側に枠体１３と対向配置可能に形成している（図１参照）。
【００５１】
上記連結部１６は、１本の上記掛止バー１４あたり、上記掛止バー１４の回転中心に対して外側に有する外側連結部１６ａと、内側に有する内側連結部１６ｂとの２本を備えている。
【００５２】
外側連結部１６ａには、該外側連結部１６ａの長さ方向（外側連結部１６ａの形成方向）へ内側連結部１６ｂの長さより伸長を許容する伸長許容部１７を形成している。  
上記伸長許容部１７は、上記連結部１６の中途部を、外側へＵの字形に湾曲変形させて形成している。
【００５３】
上述の構成で構成したバンド止め具１１は、以下の要領でバンドｂを緊締することができる。  
例えば、図５に示すような荷物Ｐの外周に配したバンドｂの長さ方向Ｄの一方側を環状に折り返して折返し部分ｂ２を構成し、該折返し部分ｂ２を枠体１３の挿通孔１２に挿通するとともに、該折返し部分ｂ２に一方の掛止バー１４を差し込む。
【００５４】
なお、以下の説明において、バンドｂの折返し部分ｂ２より先端側を先端側バンド部ｂ１とし、折返し部分ｂ２より基部側を基部側バンド部ｂ３として説明する。
【００５５】
同様に、バンドｂの長さ方向Ｄの他方側についても、その折返し部分ｂ２を枠体１３の挿通孔１２に挿通するとともに、該折返し部分ｂ２に他方の掛止バー１４を差し込む。  
先端側バンド部ｂ１を、上記長さ方向Ｄにおけるバンド止め具１１を備えた側と反対側へ引張ることにより、バンドｂを緊締することができる。
【００５６】
なお、折返し部分ｂ２の構成は、バンドｂを挿通孔１２へ挿入前に折り返さず、枠体１３の下方から挿通孔１２へ挿入し、枠体１３の上方でバンドｂを折り返して先端側バンド部ｂ１を基部側バンド部ｂ３よりも上記長さ方向Ｄの外側で挿通孔１２へ再挿入して構成してもよい。
【００５７】
バンド止め具１１は、バンドｂの先端側バンド部ｂ１を、基部側バンド部ｂ３と幅方向辺部１３ｂの底面側とで挟み込んで上記枠体１３の上面側への抜け出しを防止することができる。
【００５８】
次に、上記バンド止め具１１の使用者が、上述したように緊締したバンドを緩める（緊締解除する）手順について図４（ａ），（ｂ），（ｃ）を用いて説明する。  
なお、図４は、バンドの緊締を解除する手順を示し、その際にバンド止め具１１が奏する作用を説明する作用説明図であり、左半分を断面で、右半分は側面図を示している。
【００５９】
使用者は、図４（ａ）に示すように、硬貨Ｃの周縁部の一部を、例えば、４隅のうち所定の切欠部２５に差し込む。この状態で硬貨Ｃにより枠体１３と掛止バー１４との間をこじることによって、図４（ｂ）に示すように掛止バー１４を枠体１３から離間させる。
【００６０】
さらに、切欠部２５への差込み部分を支点として硬貨Ｃを起こすことにより、図４（ｃ）に示すように掛止バー１４を、上記先端側バンド部ｂ１の抜け出し方向Ｄ１に、上記バンドｂの折返し部分ｂ２とともに移動することができる。
【００６１】
さらに、硬貨Ｃを起こした状態から倒すことにより、バンドｂと掛止バー１４との間に空間が生じ、バンドｂを完全に緩めることができる。  
なお、このとき、掛止バー１４の回転移動に伴って、外側連結部１６ａの伸長許容部１７が伸張するため、連結部１６により、掛止バー１４の回転移動が阻害されることがなく、スムーズに回転移動することができる。
【００６２】
このように、第一実施形態のバンド止め具１１は、硬貨Ｃを切欠部２５に差し込んでこじるだけでテコの原理を利用して、掛止バー１４を枠体１３から離間させてバンドｂの緊締を容易に解除することができる。
【００６３】
なお、以下の説明において、バンドｂの緊締は、掛止バー１４を枠体１３から離間させた後は、さらに硬貨Ｃを再度倒伏するといった上述した一連の動作と同様の動作によって行われるため、該一連の動作についての説明は、省略する。
【００６４】
上記バンド止め具１１は、ヘラなどのバンドの緊締を解除するための専用の道具を要さずとも、身近にある硬貨Ｃを利用して容易にバンドｂの緊締を解除することができる。
【００６５】
なお、第一実施形態のバンド止め具１１においても、勿論、ヘラを用いてバンドの緊締を解除することもできるが、この場合においても、強固に接触して隙間のない枠体１３と掛止バー１４との間に強引にヘラを差し込む必要もなく、切欠部２５にヘラを差し込んで、抉じることができるため、よりスムーズにバンドｂの緊締を解除することができる。
【００６６】
また、硬貨Ｃは、例えば、１円硬貨、１０円硬貨など種類、額に応じて、厚みなどのサイズが異なるが、切欠部２５は、テーパ形状で形成しているため、種類の異なるいずれの硬貨Ｃを差し込んだ場合であっても、該切欠部２５の内部の上下内面に、これら硬貨Ｃが確実にフィットし、こじ易く容易にバンドｂの緊締を解除することができる。
【００６７】
しかも、切欠部２５は、テーパ形状で形成しているため、少しこじ開ければ、硬貨Ｃは、さらに、枠体１３と掛止バー１４との間の奥に入って行くため、容易にバンドｂの緊締を解除することができる。
【００６８】
さらにまた、第一実施形態のバンド止め具１１は、バンドｂを緊締した状態において、平面視したとき、掛止バー１４の全体が枠体１３の外周部よりも外側へ突出しない形態で形成している（図１及び図４参照）。
【００６９】
このため、上記バンド止め具１１は、図５に示すように、例えば、バンドｂで梱包した複数の荷物Ｐを積み重ねた場合に、例えば、積み重ねた荷物Ｐが傾くなどしてバンド止め具１１の特に掛止バー１４に外力が加わった場合であっても、不測に掛止バー１４が、上記先端側バンド部ｂ１の抜出し方向Ｄ１に移動してバンドｂが緩まるおそれがなく、荷物Ｐを強固に梱包した状態を保つことができる。  
以下では、他の実施形態におけるバンド止め具について説明する。  
但し、以下で説明するバンド止め具２１，３１，４１，５１，６１，７１の構成のうち、上述したバンド止め具１１と同様の構成については、同一の符号を付して、その説明を省略する。
【００７０】
（第二実施形態）  
第二実施形態のバンド止め具２１は、図６（ａ），（ｂ），（ｃ），（ｄ）に示すように、上述したバンド止め具１１のように移動手段として切欠部２５を備えず、他の移動手段を備えている。
【００７１】
なお、図６（ａ），（ｂ），（ｃ）は、それぞれ上記バンド止め具２１の展開状態における平面図、バンド緊締状態における平面図、図６（ｂ）のＡ−Ａ断面図を示している。また、図６（ｄ）は、バンド止め具２１のバンド緊締解除により奏する作用説明図である。
【００７２】
具体的に、バンド止め具２１は、掛止バー２６を平面視略Ｈ形状で形成している。上記掛止バー２６のフランジ部１５ａは、移動手段として、上記長さ方向Ｄの外側へ長さ方向辺部１３ａ上に沿って幅方向辺部１３ｂより突出した力点突出片２８を備えている。  
力点突出片２８の先端側、すなわち、上記長さ方向Ｄにおいて上記枠体１３の端部よりも外側へ突出した部分には、上記掛止バー２６の回転移動の力点となる回転力点部２９を形成している。
【００７３】
図６（ｂ），（ｃ）に示す状態からバンド止め具２１によるバンドの緊締を解除する際には、上記回転力点部２９を把持し、図６（ｄ）に示すように、枠体１３の上面に対して回転支点部２３を回転支点として上記掛止バー２６を回転移動させると、テコの原理により、上記先端側バンド部ｂ１の抜け出し方向Ｄ１に、該掛止バー２６を上記バンドｂの折返し部分ｂ２とともに回転移動させてバンドｂを緩めることができる。
【００７４】
特に、第二実施形態のバンド止め具２１は、例えば、人指し指と親指とで、幅方向辺部１３ｂより上記長さ方向Ｄ外側へ突出する各回転力点部２９を挟み、摘み上げることにより、テコの原理を利用できるため、片手で容易にバンドを緩めることができる。
【００７５】
（第三実施形態）  
第三実施形態のバンド止め具３１について、図７（ａ），（ｂ）とともに説明する。  
なお、図７（ａ），（ｂ）は、それぞれ第三実施形態のバンド止め具３１の展開状態における平面図、枠体側辺部上に沿って切断した断面により示したバンド緊締解除により奏する作用を説明する説明図である。
【００７６】
第三実施形態のバンド止め具３１は、図７（ａ），（ｂ）に示すように、上記枠体１３の上記支持部２４に、上記掛止バー２６との係合を許容する凹部３２を備えている。
【００７７】
上記構成により、上記掛止バー２６は、枠体１３に対して回転移動する際に、上記支点突出片２２の回転支点部２３が枠体１３の凹部３２に係合する。このため、上記掛止バー２６は、枠体１３に対して不測に捩れたりスライドしたりせず、確実に回転移動してバンドｂを枠体１３の上面側へ引抜いて緩めることができる。
【００７８】
また、上記凹部３２は、上述したように、上記枠体１３の一方の側の面に形成するに限らず、両面に形成することもできる。
【００７９】
さらに、上記枠体１３の上記支持部２４には、上述したように凹部３２に限らず、例えば、突部など、上記掛止バー２６との係合を許容可能な形態であれば他の形態で形成することができる。
【００８０】
（第四実施形態）  
第四実施形態のバンド止め具３１について、図８（ａ），（ｂ）とともに説明する。  
なお、図８（ａ），（ｂ）は、それぞれ上記バンド止め具４１の構成を示す断面図であり、図８（ｂ）は、バンド緊締解除の際に上記バンド止め具４１が奏する作用を説明する作用説明図である。
【００８１】
バンド止め具４１は、枠体４３の上面を屋根型形状で形成している。すなわち、枠体４３の上面は、上記長さ方向Ｄにおいて、枠体４３の両外側部分（幅方向辺部１３ｂ側）を、枠体４３の中間部分よりもが低くなるよう、１０度程度の傾斜面を形成している。
【００８２】
一方、上記掛止バー２６には、第二実施形態のバンド止め具２１と同様に、上記長さ方向Ｄにおいて幅方向辺部１３ｂよりも外側へ突出し、先端側に上記掛止バー２６の回転移動の力点となる回転力点部２９を構成する力点突出片２８を備えている。
【００８３】
このため、バンド止め具４１は、回転支点部２３が回転力点部２９よりも高い位置に位置することになる。
【００８４】
よって、バンド止め具４１は、例えば、荷物Ｐを積み重ねるなどして上方から荷重が加わるなどしても、バンドｂが不測に緩むことを確実に防止することができる。
【００８５】
さらに、バンド止め具４１は、回転支点部２３を回転支点として上記掛止バー２６を図８（ｂ）中矢印Ａ方向へ回転移動したときの移動量が、回転支点部２３が回転力点部２９と略同一高さ位置の構成と比較して大きくなるため、枠体４３の上面に対して上記掛止バー２６をより離間させ、バンドｂを効果的に緩めることができる。
【００８６】
具体的に、バンドの緊締を解除する際には、上述した緊締解除の手順と同様に、上記回転力点部２９を把持し、図８（ｂ）に示すように、枠体４３に対して回転支点部２３を回転支点として掛止バー２６を回転移動させると、テコの原理を利用して、上記先端側バンド部ｂ１の抜け出し方向Ｄ１に、該掛止バー２６を上記バンドの折返し部分ｂ２とともに回転移動させてバンドｂを緩めることができる。
【００８７】
（第五実施形態）  
第五実施形態のバンド止め具５１について、図９とともに説明する。  
なお、図９（ａ）は、第五実施形態のバンド止め具５１の構成を示す断面図であるとともに、図９（ｂ）は、バンド緊締解除の際に第五実施形態のバンド止め具５１が奏する作用を説明する作用説明図であり、いずれも左半分を断面で、右半分は側面図を示している。
【００８８】
枠体５３の上面側は、上記長さ方向Ｄにおいて上記枠体５３の両外側部分（幅方向辺部１３ｂ側）を、上記枠体５３の中間側部分よりも高くなるような、１０度程度の傾斜面で形成している。  
一方、上記掛止バー２６は、上記支点突出片２２と上記力点突出片２８とを、同一の突出片５５に備えた略Ｈ型形状で形成している。  
すなわち、上記回転力点部２９と上記回転支点部２３とは、上記掛止バー本体部１５の両端から上記長さ方向Ｄにおいて枠体５３の外側へ突出した同一の突出片５５に備えている。
【００８９】
上記回転力点部２９は、回転支点部２３より突出片５５の先端側に備えられている。上記掛止バー２６の回転支点部２３を支持する枠体５３の支持部２４は、枠体５３の上面側において上記長さ方向Ｄの両外側端部（隅角部分）に備えられている。
【００９０】
また、第五実施形態のバンド止め具５１は、外側連結部１６ｃよりも内側連結部１６ｄを長くに形成し、外側連結部１６ｃと内側連結部１６ｄには、それぞれ長さ方向へ伸長可能にＵ字型に湾曲変形な伸張許容部１７を形成している。
【００９１】
上記構成により、上記掛止バー２６は、回転支点部２３が回転力点部２９よりも低い位置に位置するように、バンド緊締状態において枠体５３に対して傾斜した状態となる。このため、上記掛止バー２６は、上記掛止バー２６の回転力点部２９を押し下げると、図９（ｂ）に示すように、枠体５３に対して傾斜している分だけ、より大きな回転角度で回転支点部２３を回転支点として回転移動し、掛止バー本体部１５を押し上げることができる。
【００９２】
よって、第五実施形態のバンド止め具５１は、上記掛止バー２６を回転移動させることでバンドｂを効果的に緩めることができる。  
なお、図９（ｂ）に示す状態において、外側連結部、内側連結部のいずれもが伸長するが、外側連結部より内側連結部の方がより伸長する。
【００９３】
（第六実施形態）  
第六実施形態のバンド止め具６１について、図１０とともに説明する。  
なお、図１０（ａ）は、上記バンド止め具６１のバンド緊締状態における平面図であり、図１０（ｂ）は、図１０（ａ）のＡ−Ａ線視図である。
【００９４】
バンド止め具６１は、図１０（ａ），（ｂ）に示すように、例えば、第２実施形態のバンド止め具２１における回転力点部２９に、上記枠体１３と同程度の厚みの脚部６８を下方へ向けて突設した形態で形成している。
【００９５】
上述した構成により、例えば、図５に示すように梱包した荷物Ｐを積み重ねた場合において、掛止バー２６の回転力点部２９と荷物との間に脚部６８が介在することになる（図１０（ｂ）参照）。
【００９６】
このため、積み重ねた荷物Ｐにより、上記長さ方向Ｄの枠体１３の外側に位置する掛止バー２６の回転力点部２９に荷重が加わり、掛止バー６３が回転支点部２３を回転支点として回転方向とは逆方向へ不測に回転移動してバンドｂが緩むことを阻止することができる。
【００９７】
さらに、バンド止め具は、上述したように第２実施形態のバンド止め具２１に脚部６８を備えた構成に限らず、例えば、図１０（ｃ）に示すように第四実施形態のバンド止め具４１における回転力点部２９に脚部６８を突設したバンド止め具８１など、他の実施形態のバンド止め具に備えることができる。  
なお、図１０（ｃ）は、第四実施形態のバンド止め具４１の特に掛止バー６４に脚部６８を備えた構成のバンド止め具８１の構成説明図である。
【００９８】
（第七実施形態）  
第七実施形態のバンド止め具７１について、図１１、及び、図１２とともに説明する。  
なお、図１１（ａ），（ｂ）は、第七実施形態のバンド止め具７１のそれぞれ平面図、展開した状態の平面図であり、図１２（ａ），（ｂ）は、第七実施形態のバンド止め具７１のそれぞれ断面図、作用説明図である。
【００９９】
バンド止め具７１は、図１１（ａ），（ｂ）に示すように、２本の上記掛止バー７６のそれぞれを、枠体１３に対して対向させたとき、２本の上記掛止バー７６の上記各回転支点部２３を、上記長さ方向Ｄにおいて上記枠体１３の中間位置ＣＬよりも、他方の上記掛止バー７６側に形成している。
【０１００】
このように支点突出片２２は、掛止バー本体部１５のフランジ部１５ａから、上記長さ方向Ｄにおいて、上記枠体１３の中間位置ＣＬよりも、他方の上記掛止バー７６側に突出させて形成している。
【０１０１】
支点突出片２２は、長さ方向辺部１３ａ上に沿って、該長さ方向辺部１３ａの幅の略半分の幅で形成し、互いに緩衝しないよう互い違いに突出している。
【０１０２】
上記構成により、第七実施形態のバンド止め具７１は、例えば、第二実施形態のバンド止め具２１と比較して、バンドの長さ方向Ｄにおいて、支点突出片２２の長さ、すなわち、掛止バー７６の枠体１３に対する回転半径を長く確保することができる。
【０１０３】
よって、第七実施形態のバンド止め具７１は、図１２（ａ）に示した状態から図１２（ｂ）に示した状態のように、回転支点部２３を回転支点として掛止バー７６を回転移動させたとき、例えば、第二実施形態のバンド止め具２１と比較して、掛止バー本体部１５を枠体１３に対してより長い距離で離間させることができるため、バンドｂを効果的に緩めることができる。
【０１０４】
本発明は、上述したように多くの実施の形態を得ることができるが、上述の実施形態の構成のみに限定されるものではない。  
例えば、図１３（ａ）に示すように、バンド止め具９１は、枠体９３の両面側に切欠部２５を形成してもよい。
【０１０５】
上記構成により、枠体９３のいずれの面側で掛止バー９４を対向させても、その間に切り欠き部２５を備えることができる。
【０１０６】
また、バンド止め具１０１は、切欠部２５を、上記バンド止め具１１のように形成する限らず、図１３（ｂ）に示すような形態、数で掛止バー１０４、及び、枠体１０３に対して形成するなど、その形態、形成する数は、特に限定しない。  
なお、図１３（ａ）は、他の実施形態のバンド止め具９１の構成を示す側面図であり、図１３（ｂ）は、他の実施形態のバンド止め具１０１の構成を示す平面図である。
【０１０７】
このように、本発明は、多くの実施の形態を採ることができる。
【０１０８】
なお、上述した実施形態と、この発明の構成との対応において、この実施形態の凹部３２は、この発明の係合許容部に対応するも、この発明は、上述の実施形態の構成のみに限定されるものではなく、多くの実施の形態を得ることができる。
【図面の簡単な説明】
【０１０９】
【図１】第一実施形態のバンド止め具の外観図。
【図２】第一実施形態のバンド止め具の展開状態における平面図（ａ）、左側面図（ｂ）、背面図（ｃ）。
【図３】第一実施形態のバンド止め具の作用説明図。
【図４】第一実施形態のバンド止め具の作用説明図。
【図５】第一実施形態のバンド止め具の使用状態を示す説明図。
【図６】第二施形態のバンド止め具の展開状態における平面図（ａ）、バンド緊締状態における平面図（ｂ）、図６（ｂ）におけるＡ−Ａ断面図（ｃ）。
【図７】第三実施形態のバンド止め具の展開状態における平面図（ａ）作用説明図（ｂ）。
【図８】第四実施形態のバンド止め具の構成説明−図（ａ）、作用説明図（ｂ）。
【図９】第五実施形態のバンド止め具の構成説明図（ａ）、作用説明図（ｂ）。
【図１０】第六実施形態のバンド止め具の構成説明図。
【図１１】第七実施形態のバンド止め具の構成説明図。
【図１２】第七実施形態のバンド止め具の作用説明図。
【図１３】他の実施形態のバンド止め具の構成説明図。
【符号の説明】
【０１１０】
１１，２１，３１，４１，５１，６１，７１，８１，９１，１０１…バンド止め具
１２…挿通孔
１３，４３，９３，１０３…枠体
１４，２６，６３，６４，９４，１０４…掛止バー
１６…連結部
１６ａ，１６ｃ…外側連結部
１６ｂ，１６ｄ…内側連結部
１７…伸長許容部
２２…支点突出片
２３…回転支点部
２４…支持部
２５…切欠部
２８…力点突出片
２９…回転力点部
３２…凹部
６８…脚部
ｂ…バンド
ｂ１…先端側バンド部
ｂ２…折返し部分
ｂ３…基部側バンド部
【図１】
2009149352.tif 000003
【図２】
2009149352.tif 000004
【図３】
2009149352.tif 000005
【図４】
2009149352.tif 000006
【図５】
2009149352.tif 000007
【図６】
2009149352.tif 000008
【図７】
2009149352.tif 000009
【図８】
2009149352.tif 000010
【図９】
2009149352.tif 000011
【図１０】
2009149352.tif 000012
【図１１】
2009149352.tif 000013
【図１２】
2009149352.tif 000014
【図１３】
2009149352.tif 000015